(57)【要約】      （修正有）【課題】猫のためのペット用具を提供する。【解決手段】猫のための一つのペット用具は、外枠１０と内側ハウス２０とを有する。外枠は、多面体の枠構造である。内側ハウスは、複数の連結材２１によって外枠の中に固定取り付けで架け渡されている。内側ハウスは、少なくとも一つの入口２３を有する。この構造を有する猫のためのペット用具によれば、愛玩猫は外枠と内側ハウスの間で飛び跳ねて遊ぶことができる。さらに、猫の爪をもって内側ハウスの外面をよじ登ったり、内側ハウスの外面を叩いたりしたときに、内側ハウスは外力によって揺れるので、愛玩猫は、その反応を受け、遊ぶことを一層楽しむようになる。【選択図】図１
2020048550.tif 000002
【特許請求の範囲】
【請求項１】
外枠と内側ハウスとを備え、
前記外枠は多面体の枠構造であり、
前記内側ハウスは、少なくとも二つの連結材で前記外枠の内部空間に固定取り付けで架け渡され、前記内側ハウスは少なくとも一つの入口を備えている、猫のためのペット用具。
【請求項２】
前記内側ハウスが、前記外枠に従って体積について縮小した多面体になっている請求項１記載の猫のためのペット用具。
【請求項３】
前記外枠の一つ以上の辺の外面は、サイザル麻のロープの巻き付けが施されている請求項２記載の猫のためのペット用具。
【請求項４】
前記外枠の少なくとも一つの表面には、布カバーが固定取り付けで設けられている請求項２記載の猫のためのペット用具。
【請求項５】
前記外枠は立方体の枠であり、前記内側ハウスは立方体の形状であり、前記内側ハウスの八つの頂点は、前記連結材によって前記外枠の八つの内側コーナーにそれぞれ固定されている請求項２記載の猫のためのペット用具。
【請求項６】
布カバーが、前記外枠の上面に固定取り付けで設けられ、前記外枠の前記上面の四辺は、前記四辺のそれぞれの長手方向に沿って、条溝をそれぞれ有し、
それぞれ対応して前記条溝を貫通する四つの連結部分が、前記布カバーに設けられ、位置決めロッドが各前記連結部分に挿入されている請求項５記載の猫のためのペット用具。
【請求項７】
前記外枠の下面の四辺が、前記四辺のそれぞれの長手方向に沿って、条溝をそれぞれ備えている請求項６記載の猫のためのペット用具。
【請求項８】
前記内側ハウスが球形である請求項１記載の猫のためのペット用具。
【請求項９】
前記外枠の各辺が、金属棒、木製の棒、又は木製の棒の筒がかぶせられた金属棒で形成されている請求項１記載の猫のためのペット用具。
【請求項１０】
前記連結材が、弾力的な連結材、剛性を有する連結材、又は可撓性のある連結材のうちいずれか一つ又はその組み合わせである請求項１記載の猫のためのペット用具。
【発明の詳細な説明】
【技術分野】
【０００１】
本発明は、ペット用具の分野に関し、さらに詳しくは、猫のためのペット用具（ｆｕｒｎｉｔｕｒｅ）に関する。
【背景技術】
【０００２】
人間の生活の質の向上とともに、ますます多くの人々が、自分自身の孤独を紛らわすため、また娯楽などのような精神的な必要性を満たすために、猫をペットとして飼っている。人によっては、愛玩猫を重要な家族の一員として扱うことさえある。今日、家庭では、餌をやり、運動させ、遊ばせることを組み合わせて、愛玩猫を育てている。従って、猫のためのさまざまなペット用具又は猫用の用具が、時宜を得て生み出されている。
【０００３】
例えば、中国実用新案出願公開第２０１１３１２２２号は、変形可能な猫用の用具を開示している。これは複数の基板と組み付け棒とを備えている。基板には複数の孔が形成されている。孔にはナットが設けられている。組み付け棒の両端には、溝孔がそれぞれ形成されている。溝孔にはナットが設けられている。基板と組み付け棒とは、ボルトで接続されている。この構造の猫用の用具は、取り外し可能であり、サイズと構造が調節可能であるので、スペースを節約することができる。しかし、猫用の用具は、愛玩猫が隠れて眠るスペースを与えず、また愛玩猫に使う以外の機能を与えず、愛玩猫が跳んだり跳ねたりして遊ぶのに使えるだけである。このため、使用には限界がある。
【発明の概要】
【０００４】
他の例では、中国実用新案出願公開第２０３６０８６９３号は変形可能な猫用の用具を開示している。これは支持柱と猫用ベッドとを備えている。猫用ベッドは、支持柱の底部に設けられている。支持柱の周りに回転可能な複数の支持部が、支持柱上で下から上に向かって配列されて設けられている。この文献に記載された猫用の用具の中で、愛玩猫は飛び跳ね、遊び、休息する。さらに、猫用の用具は、簡単な構造であり、梱包して保管するのは容易である。しかしこの種の猫用の用具は次の難点がある。１．猫用の用具は単純な構造であるので、愛玩猫が遊ぶには興味は十分に大きくない。２．愛玩猫と猫用の用具との間の相互作用に乏しい。愛玩猫が猫用の用具からの反応を何も受けずに長時間猫用の用具で遊ぶと、猫は退屈してしまう。このため、本発明は、猫のためのペット用具を提供するものである。
【０００５】
本発明は、遊びに対する興味が大きくないこと、愛玩猫との間の相互作用が乏しいこと、猫が退屈しやすいことなどの難点を取り除くようにした、猫のためのペット用具を提供する。
【０００６】
本発明は、以下の技術的な解決を用いる。
【０００７】
猫のためのペット用具は、外枠と内側ハウスとを備え、外枠は多面体の枠構造であり、内側ハウスは、少なくとも二つの連結材で外枠の内部空間に固定取り付けで架け渡され、内側ハウスは少なくとも一つの入口を備えている。
【０００８】
さらに、内側ハウスが、外枠に従って体積について縮小した多面体になっている。
【０００９】
さらに、外枠の一つ以上の辺の外面は、サイザル麻のロープの巻き付けが施されている。
【００１０】
さらに、外枠の少なくとも一つの表面には、布カバーが固定取り付けで設けられている。
【００１１】
好ましくは、外枠は立方体の枠であり、内側ハウスは立方体の形状であり、内側ハウスの八つの頂点は、連結材によって外枠の八つの内側コーナーにそれぞれ固定されている。
【００１２】
布カバーが、外枠の上面に固定取り付けで設けられ、外枠の上面の四辺は、四辺のそれぞれの長手方向に沿って、条溝をそれぞれ有し、それぞれ対応して条溝を貫通する四つの連結部分が、布カバーに設けられ、位置決めロッドが各連結部分に挿入されている。
【００１３】
さらに、外枠の下面の四辺が、四辺のそれぞれの長手方向に沿って、条溝をそれぞれ備えている。
【００１４】
さらに、内側ハウスが球形である。
【００１５】
さらに、外枠の各辺が、金属棒、木製の棒、又は木製の棒の筒がかぶせられた金属棒で形成されている。
【００１６】
さらに、連結材が、弾力的な連結材、剛性を有する連結材、又は可撓性のある連結材のうちいずれか一つ又はその組み合わせである。
【００１７】
本発明の構造の上述した説明によれば、本発明は、従来技術と比較して下記のような利点を有する。
【００１８】
１．このような構造を有する猫のためのペット用具によれば、内側ハウスは、連結材によって、正多面体の構造を有する外枠の内側空間に架け渡され、内側ハウスは、入口を有する。愛玩猫は、外枠と内側ハウスとの間で飛び跳ねて遊ぶことができる。さらに、猫の爪をもって内側ハウスの外面をよじ登ったり、内側ハウスの外面を叩いたりしたときに、内側ハウスは外力によって揺れるので、愛玩猫は、その反応を受け、遊ぶことを一層楽しむようになる。
【００１９】
２．この構造を有する猫のためのペット用具は、基本単位のみで使用できるし、より大きな愛玩猫の遊戯場所を形成するように組み合わせたり積み重ねたりすることができる。
【００２０】
３．この構造を有する猫のためのペット用具によれば、布カバーが外枠の上面に固定によって設けられ、あるいは、サイザル麻の表面の猫の引っ掻き板が、外枠の一つ以上の辺の外面に設けられているので、ペット用具は、愛玩猫ハンモックとして使用でき、あるいは愛玩猫はそれを使って爪を研ぐことができる。
【００２１】
４．この構造を有する猫のためのペット用具によれば、外枠の上面の辺にある条溝は、布カバーの接続固着スロットとして、かつまた二つの基本単位の接続孔として機能することができる。
【図面の簡単な説明】
【００２２】
【図１】本発明の実施形態１の構造的な概略図である。
【図２】本発明の実施形態１の上平面図である。
【図３】本発明の実施形態２の分解図である。
【図４】本発明の実施形態２の上平面図である。
【図５】本発明の実施形態２に係る、猫のためのペット用具を二つ重ねた状態を示す概略図である。
【図６】本発明の実施形態３の構造的な概略図である。
【図７】本発明の実施形態３の前面図である。
【図８】本発明の実施形態４の第１の構造的な概略図である。
【図９】本発明の実施形態４の第２の構造的な概略図である。
【発明を実施するための形態】
【００２３】
本発明の特定の実施形態について、図面を参照しながら下記のように説明する。
【００２４】
実施形態１
図１，２に示すように、猫のための一つのペット用具は、外枠１０と内側ハウス２０とを備えている。さらに本実施形態の外枠１０は、立方体の枠構造であり、内側ハウス２０は外枠１０に従って体積について縮小した立方体になっている。内側ハウス２０は、外枠１０内に固定によって架け渡されている。特に、内側ハウス２０の八つの頂点は、連結材２１によって外枠１０の八つの内側コーナーにそれぞれ固定され、これにより内側ハウス２０の中心が外枠１０の中心と一致する。連結材２１は、弾力的な連結材、剛性を有する連結材、又は可撓性のある連結材のうちいずれか一つ又はその組み合わせであってよい。異なる材料から形成された連結材２１は、愛玩猫のために異なる遊戯の体験を与えることができる。
【００２５】
図１に示すように、内側ハウス２０は好ましくは硬質の材料から形成されている。具体的には硬質の材料は、硬質の木製の板、硬質の板紙又は硬質のプラスチック板からできていてもよく、これらは布で覆われる。さらに内側ハウス２０の外面は、サイザル麻のロープ２２の巻き付けが施されていてもよい。一方ではサイザル麻のロープ２２は、愛玩猫が遊んだり爪を研いだりするのに使用することができる。他方サイザル麻のロープ２２は、愛玩猫が内側ハウスに当たったときに緩衝の機能を提供することができる。また本発明の内側ハウス２０は、内側ハウス２０が外枠の内側空間に架け渡されている限りは、柔軟な材料から形成されていてよい。
【００２６】
図１，２に示すように、内側ハウス２０は少なくとも一つの入口２３を有する。好ましくは、内側ハウス２０の上面と内側ハウス２０の一方の側部とが、入口２３をそれぞれ備えている。愛玩猫は、その一方の側部の入口から内側ハウスにはいることができる。あるいは愛玩猫は、上面の入口から、外枠１０又は内側ハウス２０の上面に直接跳びつくことができ、愛玩猫は遊ぶことに一層の面白みを感じることができる。
【００２７】
外枠１０の各辺は、金属棒、木製の棒、又は木製の棒の筒がかぶせられた金属棒で形成されている。もちろん、外枠１０の各辺はさらに、プラスチック又は他の一般によく用いられる枠材料からできていてもよい。また外枠１０の各辺は、愛玩猫が遊んだり爪を研いだりするために一層大きなスペースを与えるように、サイザル麻のロープで覆われてもよい。
【００２８】
実施形態２
図３，４に示すように、本実施形態の外枠１０は、立方体の枠構造であり、内側ハウス２０は外枠１０に従って体積について縮小した立方体になっている。本実施形態と実施形態１との違いは、外枠１０の各辺の構造にある。
【００２９】
図３に示すように、布カバー１１が、本実施形態の外枠１０の上面に固定によって設けられている。外枠１０の上面の各辺の横断面は、矩形である。外枠１０の上面の四辺は、四辺の各長手方向に沿って、条溝１００をそれぞれ有する。四つの連結部分１１０が布カバー１１に設けられている。各連結部分１１０はそれぞれ対応して条溝１００を貫通し、その後に位置決めロッドが連結部分１１０を位置決めするように挿入される。
【００３０】
図３，４に示すように、外枠１０の下面の四辺はさらに、四辺の各長手方向に沿って条溝１００をそれぞれ備えている。本実施形態の猫のためのペット用具は、基本単位として使用してよい。縦方向に拡張することが必要なときには、布カバー１１が除去される。その後に、猫のための一つのペット用具の外枠１０の下面にある四つの条溝１００は、（図５に示すように）ボルトによって、隣のもう一つの猫のためのペット用具の外枠の上面にある四つの条溝１００に、接続される。横方向に拡張することが必要なときには、布カバー１１が除去される。その後にペット用具は９０度だけ回され、外枠１０の上面と下面とがそれぞれ左側壁と右側壁とになる。その後に、猫のための一つのペット用具の外枠１０の右側壁にある四つの条溝１００は、ボルトによって、隣のもう一つの猫のためのペット用具の外枠１０の左側壁にある四つの条溝１００に、対応して接続される。もちろん、本発明の猫のためのペット用具の外枠の左側壁又は右側壁の四辺は、条溝１００を有していてもよく、猫のためのペット用具は、同時に縦方向と横方向とに拡張することができる。
【００３１】
実施形態３
図６，７に示すように、本実施形態の猫のためのペット用具は、外枠１０と内側ハウス２０とを備えている。本実施形態では、外枠１０の各辺の構造と内側ハウス２０の材料は、実施形態１と同じである。本実施形態と実施形態１との大きな違いは、本実施形態の外枠１０が正四面体の枠構造であって、内側ハウス２０が外枠１０に従って体積について縮小した正四面体であることにある。内側ハウス２０は、外枠１０の内側に固定によって架け渡されている。具体的には、内側ハウス２０の四つの頂点は、連結材２１によって外枠１０の四つの内側コーナーにそれぞれ固定され、内側ハウス２０の中心は外枠１０の中心と一致する。連結材２１は、弾力的な連結材、剛性を有する連結材、又は可撓性のある連結材のうちいずれか一つ又はその組み合わせであってよい。
【００３２】
もちろん、本実施形態の外枠１０の各側面の横断面は、矩形であってもよい。外枠１０の各側面の三辺は、三辺のそれぞれの長手方向に沿っている条溝を備え、これにより、猫のためのペット用具は、各側面の方向に沿って拡張することができる。猫のためのペット用具が各側面の方向に拡張されるときには、一つの外枠の側面中の条溝は、ボルトを用いて、他の外枠の側面の条溝にネジで締結されて接合される。
【００３３】
実施形態４
図８，９に示すように、本実施形態の猫のためのペット用具は、外枠１０と内側ハウス２０とを備えている。本実施形態では、外枠１０の各辺の構造と内側ハウス２０の材料は、実施形態１と同じである。本実施形態と実施形態１との大きな違いとしては、本実施形態の外枠１０が正八面体の枠構造である。内側ハウス２０が、外枠１０に従って体積について縮小した正八面体である。内側ハウス２０は、外枠１０の内側に固定によって架け渡されている。具体的には、内側ハウス２０の六つの頂点は、連結材２１によって外枠１０の六つの内側コーナーにそれぞれ固定され、内側ハウス２０の中心は外枠１０の中心と一致する。連結材２１は、弾力的な連結材、剛性を有する連結材、又は可撓性のある連結材のうちいずれか一つ又はその組み合わせであってよい。
【００３４】
もちろん、本実施形態の外枠１０の各辺の横断面は、矩形であってよい。外枠１０の各側面の三辺は、三辺の各長手方向に沿って条溝をそれぞれ備え、猫のためのペット用具は各側面の方向に沿って拡張することができる。猫のためのペット用具が各側面の方向に拡張されるときには、一つの外枠の側面中の条溝は、ボルトを用いて、他の外枠の側面の条溝にネジで締結されて接合される。
【００３５】
上述した四つの実施形態で、内側ハウス２０の各頂点は、連結材２１によって外枠１０の対応する内側コーナーにそれぞれ固定される。しかし内側ハウス２０と外枠との接続の態様はこれに限定されない。内側ハウス２０を外枠１０の内側空間に固定によって架け渡すことができる限りは、任意の態様が許容される。
【００３６】
本発明の外枠１０は、正多面体の枠に限定されない。外枠は、任意の多面体の枠構造であってよい。内側ハウス２０は、外枠１０に従って体積について縮小した正多面体とすることに限定されない。内側ハウスは、内側ハウスを外枠１０の内側空間に架け渡すことができる限りは、任意の他の形状の多面体、又は球形であってよい。
【００３７】
これに加えて、本発明の好ましい実施形態では、内側ハウス２０の中心は外枠１０の中心と一致する。しかし、本発明の内側ハウス２０の構成はこれに限定されない。内側ハウスが外枠１０の内側空間に架け渡される限りは、任意の態様が許容される。
【００３８】
本発明の具体的な実施形態を上記のように述べたが、本発明の概念はこれに限定されない。この概念を用いる本発明の実質的でない改変は、本発明の保護範囲にはいるものとみなすこととする。
【００３９】
本願は２０１８年９月２６日付出願の中国特許出願第２０１８１１１２３３６９．６号を基礎として、その優先権を主張し、ここで上述の中国特許出願が開示した全ての内容を援用して本願に取り込む。
【図１】
2020048550.tif 000003
【図２】
2020048550.tif 000004
【図３】
2020048550.tif 000005
【図４】
2020048550.tif 000006
【図５】
2020048550.tif 000007
【図６】
2020048550.tif 000008
【図７】
2020048550.tif 000009
【図８】
2020048550.tif 000010
【図９】
2020048550.tif 000011